【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
ローカルネットワークで接続されたファクシミリ装置から、当該ファクシミリ装置が前記ローカルネットワークの外部のファクシミリ装置との間で受信または送信したファクシミリデータの少なくとも一部を、当該ファクシミリデータの受信履歴または送信履歴とともに前記ローカルネットワークを介して取得する通信制御部と、
前記ファクシミリデータの少なくとも一部に、所定の形式のコード画像が含まれるか否かを判断するとともに、前記ファクシミリデータに前記コード画像が含まれる場合に、当該コード画像をデコードし、デコードした情報の中から、前記ファクシミリデータを識別する識別情報を取り出すコード情報解析部と、
前記通信制御部が前記受信履歴とともに取得した前記ファクシミリデータから前記コード情報解析部が取り出した前記識別情報を、当該ファクシミリデータの前記受信履歴に対応づけて記憶するとともに、前記通信制御部が前記送信履歴とともに取得した前記ファクシミリデータから前記コード情報解析部が取り出した前記識別情報を、当該ファクシミリデータの前記送信履歴に対応づけて記憶する通信履歴記憶部と、
を含むことを特徴とする通信管理装置。
【請求項２】
請求項１に記載の通信管理装置において、
前記通信履歴記憶部を参照して、前記受信履歴および前記送信履歴のいずれか一方しか対応づけられていない前記識別情報を検出する履歴検出部と、
前記履歴検出部が検出した検出結果を通知する通知処理部と、
をさらに含むことを特徴とする通信管理装置。
【請求項３】
ローカルネットワークで接続されたファクシミリ装置から、当該ファクシミリ装置が前記ローカルネットワークの外部のファクシミリ装置から受信して印刷したファクシミリデータを識別する識別情報を含む情報を当該ファクシミリデータの受信履歴とともに取得し、かつ前記ローカルネットワークで接続されたファクシミリ装置から、当該ファクシミリ装置が読み取った原稿に基づき生成され、前記ローカルネットワークの外部のファクシミリ装置に送信したファクシミリデータを識別する識別情報を含む情報を当該ファクシミリデータの送信履歴とともに取得する通信制御部と、
前記通信制御部が前記受信履歴とともに取得した前記識別情報を、当該ファクシミリデータの前記受信履歴に対応づけて記憶するとともに、前記通信制御部が前記送信履歴とともに取得した前記識別情報を、当該ファクシミリデータの前記送信履歴に対応づけて記憶する通信履歴記憶部と、
前記通信履歴記憶部を参照して、前記受信履歴および前記送信履歴のいずれか一方しか対応づけられていない前記識別情報を検出する履歴検出部と、
前記履歴検出部が検出した検出結果を通知する通知処理部と、
を含むことを特徴とする通信管理装置。
【請求項４】
請求項２または３に記載の通信管理装置において、
前記履歴検出部は、前記通信履歴記憶部を参照し、同じ識別番号に対応づけられた受信履歴に対して送信履歴が記憶されていない未処理案件の有無を検出することを特徴とする通信管理装置。
【請求項５】
請求項２乃至４いずれかに記載の通信管理装置において、
前記ファクシミリデータに対する処理期限を記憶する処理期限記憶部をさらに含み、
前記受信履歴または前記送信履歴は、それぞれ受信日時または送信日時を含み、
前記履歴検出部は、前記受信履歴および前記送信履歴のいずれか一方しか対応づけられていない前記識別情報のうち、当該識別情報に対応づけられた前記受信履歴または前記送信履歴に含まれる前記受信日時または前記送信日時に基づき、前記処理期限を過ぎた前記識別情報を検出することを特徴とする通信管理装置。
【請求項６】
請求項２乃至５いずれかに記載の通信管理装置において、
前記通信制御部は、前記ファクシミリデータの前記受信履歴または前記送信履歴とともに、当該受信履歴または当該送信履歴を送信してきた前記ファクシミリ装置を識別する装置情報も対応づけて取得し、
前記通信履歴記憶部は、前記装置情報を、前記受信履歴または前記送信履歴に対応づけて記憶し、
前記通知処理部は、前記履歴検出部が検出した前記識別情報に対応づけられた前記装置情報により特定される前記ファクシミリ装置に前記履歴検出部が検出した結果を通知することを特徴とする通信管理装置。
【請求項７】
請求項１乃至５いずれかに記載の通信管理装置において、
前記通信制御部は、前記ファクシミリデータの前記受信履歴または前記送信履歴とともに、当該受信履歴または当該送信履歴を送信してきた前記ファクシミリ装置を識別する装置情報も対応づけて取得し、
前記通信履歴記憶部は、前記装置情報を、前記受信履歴または前記送信履歴に対応づけて記憶することを特徴とする通信管理装置。
【請求項８】
請求項１乃至７いずれかに記載の通信管理装置において、
前記通信制御部は、前記ローカルネットワークで接続された複数のファクシミリ装置のいずれかから、当該ファクシミリ装置が前記外部のファクシミリ装置から受信したファクシミリデータの前記識別情報を当該ファクシミリデータの受信履歴とともに取得するとともに、前記複数のファクシミリ装置のいずれかから、当該ファクシミリ装置が前記外部のファクシミリ装置に送信したファクシミリデータの前記識別情報を当該ファクシミリデータの送信履歴とともに取得する通信管理装置。
【請求項９】
ローカルネットワークで接続された複数のファクシミリ装置を含み、外部のファクシミリ装置から送信されるファクシミリデータを前記複数のファクシミリ装置のいずれかが受信して印刷するとともに、前記複数のファクシミリ装置のいずれかから外部のファクシミリ装置にファクシミリデータを送信するファクシミリシステムであって、
前記ファクシミリデータに所定の形式のコード画像が含まれるか否かを判断するとともに、前記ファクシミリデータに前記コード画像が含まれる場合に、当該コード画像をデコードし、デコードした情報の中から、前記ファクシミリデータを識別する識別情報を取り出すコード情報解析部と、
前記複数のファクシミリ装置のいずれかが受信して印刷した前記ファクシミリデータから前記コード情報解析部が取り出した前記識別情報を、当該ファクシミリデータの受信履歴に対応づけて記憶するとともに、前記複数のファクシミリ装置のいずれかから前記外部のファクシミリ装置に送信した前記ファクシミリデータから前記コード情報解析部が取り出した前記識別情報を、当該ファクシミリデータの送信履歴に対応づけて記憶する通信履歴記憶部と、
を含むことを特徴とするファクシミリシステム。
【請求項１０】
請求項９に記載のファクシミリシステムにおいて、
前記通信履歴記憶部を参照して、前記受信履歴および前記送信履歴のいずれか一方しか対応づけられていない前記識別情報を検出する履歴検出部と、
前記履歴検出部が検出した検出結果を通知する通知処理部と、
をさらに含むことを特徴とするファクシミリシステム。
【請求項１１】
請求項９または１０に記載のファクシミリシステムにおいて、
前記履歴検出部は、通信履歴記憶部を参照し、同じ識別番号に対応づけられた受信履歴に対して送信履歴が記憶されていない未処理案件の有無を検出することを特徴とするファクシミリシステム。
【請求項１２】
請求項９乃至１１いずれかに記載のファクシミリシステムにおいて、
前記複数のファクシミリ装置のいずれかが受信したファクシミリデータに前記コード画像が含まれない場合に、当該ファクシミリデータを識別する識別情報を含むコード情報をコード画像に変換し、当該コード画像を前記ファクシミリデータに付与するコード画像付与部をさらに含み、
当該ファクシミリ装置は、前記コード画像が付与された前記ファクシミリデータを印刷するファクシミリシステム。
【手続補正２】
【補正対象書類名】明細書
【補正対象項目名】発明の名称
【補正方法】変更
【補正の内容】
【発明の名称】通信管理装置、およびファクシミリシステム
【手続補正３】
【補正対象書類名】明細書
【補正対象項目名】０００１
【補正方法】変更
【補正の内容】
【０００１】
この発明は、通信管理装置、およびファクシミリシステムに関し、とくにコード画像を取り扱う通信管理装置、ファクシミリ装置、およびファクシミリシステムに関する。
【手続補正４】
【補正対象書類名】明細書
【補正対象項目名】０００６
【補正方法】変更
【補正の内容】
【０００６】
本発明によれば、ローカルネットワークで接続されたファクシミリ装置から、当該ファクシミリ装置が前記ローカルネットワークの外部のファクシミリ装置との間で受信または送信したファクシミリデータの少なくとも一部を、当該ファクシミリデータの受信履歴または送信履歴とともに前記ローカルネットワークを介して取得する通信制御部と、
前記ファクシミリデータの少なくとも一部に、所定の形式のコード画像が含まれるか否かを判断するとともに、前記ファクシミリデータに前記コード画像が含まれる場合に、当該コード画像をデコードし、デコードした情報の中から、前記ファクシミリデータを識別する識別情報を取り出すコード情報解析部と、
前記通信制御部が前記受信履歴とともに取得した前記ファクシミリデータから前記コード情報解析部が取り出した前記識別情報を、当該ファクシミリデータの前記受信履歴に対応づけて記憶するとともに、前記通信制御部が前記送信履歴とともに取得した前記ファクシミリデータから前記コード情報解析部が取り出した前記識別情報を、当該ファクシミリデータの前記送信履歴に対応づけて記憶する通信履歴記憶部と、
を含むことを特徴とする通信管理装置が提供される。
【手続補正５】
【補正対象書類名】明細書
【補正対象項目名】０００９
【補正方法】変更
【補正の内容】
【０００９】
本発明の通信管理装置は、前記通信履歴記憶部を参照して、前記受信履歴および前記送信履歴のいずれか一方しか対応づけられていない前記識別情報を検出する履歴検出部と、前記履歴検出部が検出した検出結果を通知する通知処理部と、をさらに含むことができる。
【手続補正６】
【補正対象書類名】明細書
【補正対象項目名】００１０
【補正方法】変更
【補正の内容】
【００１０】
本発明によれば、ローカルネットワークで接続されたファクシミリ装置から、当該ファクシミリ装置が前記ローカルネットワークの外部のファクシミリ装置から受信して印刷したファクシミリデータを識別する識別情報を含む情報を当該ファクシミリデータの受信履歴とともに取得し、かつ前記ローカルネットワークで接続されたファクシミリ装置から、当該ファクシミリ装置が読み取った原稿に基づき生成され、前記ローカルネットワークの外部のファクシミリ装置に送信したファクシミリデータを識別する識別情報を含む情報を当該ファクシミリデータの送信履歴とともに取得する通信制御部と、
前記通信制御部が前記受信履歴とともに取得した前記識別情報を、当該ファクシミリデータの前記受信履歴に対応づけて記憶するとともに、前記通信制御部が前記送信履歴とともに取得した前記識別情報を、当該ファクシミリデータの前記送信履歴に対応づけて記憶する通信履歴記憶部と、
前記通信履歴記憶部を参照して、前記受信履歴および前記送信履歴のいずれか一方しか対応づけられていない前記識別情報を検出する履歴検出部と、
前記履歴検出部が検出した検出結果を通知する通知処理部と、
を含むことを特徴とする通信管理装置が提供される。
【手続補正７】
【補正対象書類名】明細書
【補正対象項目名】００１１
【補正方法】変更
【補正の内容】
【００１１】
本発明の通信管理装置において、前記履歴検出部は、前記通信履歴記憶部を参照し、同じ識別番号に対応づけられた受信履歴に対して送信履歴が記憶されていない未処理案件の有無を検出することができる。
【手続補正８】
【補正対象書類名】明細書
【補正対象項目名】００１３
【補正方法】変更
【補正の内容】
【００１３】
本発明の通信管理装置において、前記通信制御部は、前記ファクシミリデータの前記受信履歴または前記送信履歴とともに、当該受信履歴または当該送信履歴を送信してきた前記ファクシミリ装置を識別する装置情報も対応づけて取得することができ、前記通信履歴記憶部は、前記装置情報を、前記受信履歴または前記送信履歴に対応づけて記憶することができ、前記通知処理部は、前記履歴検出部が検出した前記識別情報に対応づけられた前記装置情報により特定される前記ファクシミリ装置に前記履歴検出部が検出した結果を通知することができる。
【手続補正９】
【補正対象書類名】明細書
【補正対象項目名】００１４
【補正方法】変更
【補正の内容】
【００１４】
本発明の通信管理装置において、前記通信制御部は、前記ファクシミリデータの前記受信履歴または前記送信履歴とともに、当該受信履歴または当該送信履歴を送信してきた前記ファクシミリ装置を識別する装置情報も対応づけて取得することができ、
前記通信履歴記憶部は、前記装置情報を、前記受信履歴または前記送信履歴に対応づけて記憶することができる。
本発明の通信管理装置において、前記通信制御部は、前記ローカルネットワークで接続された複数のファクシミリ装置のいずれかから、当該ファクシミリ装置が前記外部のファクシミリ装置から受信したファクシミリデータの前記識別情報を当該ファクシミリデータの受信履歴とともに取得するとともに、前記複数のファクシミリ装置のいずれかから、当該ファクシミリ装置が前記外部のファクシミリ装置に送信したファクシミリデータの前記識別情報を当該ファクシミリデータの送信履歴とともに取得することができる。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
本発明によれば、ローカルネットワークで接続された複数のファクシミリ装置を含み、外部のファクシミリ装置から送信されるファクシミリデータを前記複数のファクシミリ装置のいずれかが受信して印刷するとともに、前記複数のファクシミリ装置のいずれかから外部のファクシミリ装置にファクシミリデータを送信するファクシミリシステムであって、
前記ファクシミリデータに所定の形式のコード画像が含まれるか否かを判断するとともに、前記ファクシミリデータに前記コード画像が含まれる場合に、当該コード画像をデコードし、デコードした情報の中から、前記ファクシミリデータを識別する識別情報を取り出すコード情報解析部と、
前記複数のファクシミリ装置のいずれかが受信して印刷した前記ファクシミリデータから前記コード情報解析部が取り出した前記識別情報を、当該ファクシミリデータの受信履歴に対応づけて記憶するとともに、前記複数のファクシミリ装置のいずれかから前記外部のファクシミリ装置に送信した前記ファクシミリデータから前記コード情報解析部が取り出した前記識別情報を、当該ファクシミリデータの送信履歴に対応づけて記憶する通信履歴記憶部と、
を含むことを特徴とするファクシミリシステムが提供される。
【手続補正１４】
【補正対象書類名】明細書
【補正対象項目名】００１９
【補正方法】変更
【補正の内容】
【００１９】
本発明のファクシミリシステムは、前記通信履歴記憶部を参照して、前記受信履歴および前記送信履歴のいずれか一方しか対応づけられていない前記識別情報を検出する履歴検出部と、前記履歴検出部が検出した検出結果を通知する通知処理部と、をさらに含むことができる。
本発明のファクシミリシステムにおいて、前記履歴検出部は、通信履歴記憶部を参照し、同じ識別番号に対応づけられた受信履歴に対して送信履歴が記憶されていない未処理案件の有無を検出することができる。
本発明のファクシミリシステムは、前記複数のファクシミリ装置のいずれかが受信したファクシミリデータに前記コード画像が含まれない場合に、当該ファクシミリデータを識別する識別情報を含むコード情報をコード画像に変換し、当該コード画像を前記ファクシミリデータに付与するコード画像付与部をさらに含むことができ、当該ファクシミリ装置は、前記コード画像が付与された前記ファクシミリデータを印刷することができる。